(57)【要約】【課題】眼底をスリット状に走査して撮影を行うタイプの眼底撮影装置において、従来のようなスリット板の同期制御を不要とし、装置構成を簡易化する技術を提供する。【解決手段】眼底撮影装置１は、照明光学系１０と、撮影光学系３０と、制御部５０と、画像生成部８０とを有する。照明光学系１０は、被検眼Ｅの眼底Ｅｆをスリット光で走査する。撮影光学系３０は、光電変換素子Ｇｉｊを２次元的に配置してなる受光面３４ａを有するイメージセンサ３４を含む。撮影光学系３０は、スリット光の眼底反射光をイメージセンサ３４に導く。制御部５０は、スリット光の走査に対応して光電変換素子３４ｉｊの複数の群Ｇｋを順次に動作させる。画像生成部８０は、順次に動作された複数の群Ｇｋからの電気信号に基づいて眼底画像Ｈを生成する。【選択図】図２
2012187293.tif 000002
【特許請求の範囲】
【請求項１】
被検眼の眼底をスリット光で走査する照明光学系と、
光電変換素子を２次元的に配置してなる受光面を有するイメージセンサを含み、前記スリット光の眼底反射光を前記イメージセンサに導く撮影光学系と、
前記スリット光の走査に対応して前記イメージセンサを反復動作させる制御部と、
前記反復動作により得られた電気信号に基づいて複数の画像を生成し、前記複数の画像に基づいて眼底画像を生成する画像生成部と、
を備えることを特徴とする眼底撮影装置。
【請求項２】
前記制御部は、前記イメージセンサの反復動作として、前記光電変換素子の複数の群を順次に動作させ、
前記画像生成部は、前記順次に動作された前記複数の群からの電気信号に基づいて前記眼底画像を生成する、
ことを特徴とする請求項１に記載の眼底撮影装置。
【請求項３】
前記画像生成部は、前記複数の群のそれぞれからの電気信号に基づいて画像を生成し、当該複数の画像を合成して前記眼底画像を生成する、
ことを特徴とする請求項２に記載の眼底撮影装置。
【請求項４】
前記照明光学系は、前記眼底に対して前記スリット光をその長手方向に直交する方向に走査し、
前記複数の群は、それぞれが略矩形状に配列された複数の前記光電変換素子からなり、当該略矩形状における短手方向に配列されている、
ことを特徴とする請求項２又は請求項３に記載の眼底撮影装置。
【請求項５】
前記制御部は、前記イメージセンサの反復動作として、全ての又は一部の前記光電変換素子を反復動作させる、
ことを特徴とする請求項１に記載の眼底撮影装置。
【請求項６】
前記画像生成部は、前記反復動作された前記全ての又は一部の光電変換素子からの電気信号に基づいて前記複数の画像を生成し、当該複数の画像のそれぞれから前記スリット光の走査に対応する画像領域を抽出し、抽出された複数の前記画像領域を合成して前記眼底画像を生成する、
ことを特徴とする請求項５に記載の眼底撮影装置。
【請求項７】
前記画像生成部は、前記複数の画像を合成して前記眼底画像を生成する、
ことを特徴とする請求項５に記載の眼底撮影装置。
【発明の詳細な説明】
【技術分野】
【０００１】
この発明は、被検眼の眼底を撮影する眼底撮影装置に関する。
【背景技術】
【０００２】
被検眼の状態を観察するために眼底を撮影する技術が知られている。特許文献１には、眼底をスリット状に走査して撮影を行うタイプの眼底撮影装置が開示されている。このタイプの装置は、小瞳孔の被検眼の眼底撮影に適している。
【０００３】
すなわち、このタイプの装置は、特許文献２のように一度のフラッシュ発光で撮影を行うタイプと比較して画角が狭い。したがって、被検眼の瞳孔が小さい場合であっても、瞳孔における照明光束の通過領域とその眼底反射光の通過領域とを好適に分離できるので、フレア等の有害光が撮影画像に混入することを防止できる。
【先行技術文献】
【特許文献】
【０００４】
【特許文献１】特公昭６１−４８９４０号公報
【特許文献２】特開２００８−２９５９７１号公報
【発明の概要】
【発明が解決しようとする課題】
【０００５】
特許文献１に記載の装置は、感光フィルムの直前に設けられたスリット板を、スリット光の走査に同期して移動させつつ１枚の撮影画像を得るよう構成されている。しかし、このような同期制御は容易ではない。また、装置構成が複雑になるという問題もある。
【０００６】
この発明は、このような問題を解決するためになされたものであり、その目的は、眼底をスリット状に走査して撮影を行うタイプの眼底撮影装置において、従来のようなスリット板の同期制御を不要とし、装置構成を簡易化することが可能な技術を提供することにある。
【課題を解決するための手段】
【０００７】
上記目的を達成するために、請求項１に記載の眼底撮影装置は、被検眼の眼底をスリット光で走査する照明光学系と、光電変換素子を２次元的に配置してなる受光面を有するイメージセンサを含み、前記スリット光の眼底反射光を前記イメージセンサに導く撮影光学系と、前記スリット光の走査に対応して前記イメージセンサを反復動作させる制御部と、前記反復動作により得られた電気信号に基づいて複数の画像を生成し、前記複数の画像に基づいて眼底画像を生成する画像生成部とを備えることを特徴とする。
また、請求項２に記載の発明は、請求項１に記載の眼底撮影装置において、前記制御部は、前記イメージセンサの反復動作として、前記光電変換素子の複数の群を順次に動作させ、前記画像生成部は、前記順次に動作された前記複数の群からの電気信号に基づいて前記眼底画像を生成することを特徴とする。
また、請求項３に記載の発明は、請求項２に記載の眼底撮影装置において、前記画像生成部は、前記複数の群のそれぞれからの電気信号に基づいて画像を生成し、当該複数の画像を合成して前記眼底画像を生成することを特徴とする。
また、請求項４に記載の眼底撮影装置は、請求項２又は請求項３に記載の眼底撮影装置において、前記照明光学系は、前記眼底に対して前記スリット光をその長手方向に直交する方向に走査し、前記複数の群は、それぞれが略矩形状に配列された複数の前記光電変換素子からなり、当該略矩形状における短手方向に配列されていることを特徴とする。
また、請求項５に記載の発明は、請求項１に記載の眼底撮影装置において、前記制御部は、前記イメージセンサの反復動作として、全ての又は一部の前記光電変換素子を反復動作させることを特徴とする。
また、請求項６に記載の発明は、請求項５に記載の眼底撮影装置において、前記画像生成部は、前記反復動作された前記全ての又は一部の光電変換素子からの電気信号に基づいて前記複数の画像を生成し、当該複数の画像のそれぞれから前記スリット光の走査に対応する画像領域を抽出し、抽出された複数の前記画像領域を合成して前記眼底画像を生成することを特徴とする。
また、請求項７に記載の発明は、請求項５に記載の眼底撮影装置において、前記画像生成部は、前記複数の画像を合成して前記眼底画像を生成することを特徴とする。
【発明の効果】
【０００８】
この発明に係る眼底撮影装置は、眼底をスリット光で走査しつつイメージセンサを反復動作させることにより眼底撮影を行うよう構成されている。したがって、従来のようなスリット板の同期制御が不要であり、装置構成を簡易化することが可能である。
【図面の簡単な説明】
【０００９】
【図１】実施形態に係る眼底撮影装置の光学系の構成の一例を表す概略図である。
【図２】実施形態に係る眼底撮影装置の制御系の構成の一例を表す概略ブロック図である。
【図３】実施形態に係る眼底撮影装置のイメージセンサの構成の一例を表す概略図である。
【図４】実施形態に係る眼底撮影装置の画像生成処理を説明するための概略図である。
【発明を実施するための形態】
【００１０】
この発明に係る眼底撮影装置の実施形態の一例について、図面を参照しながら詳細に説明する。
【００１１】
〈構成〉
実施形態に係る眼底撮影装置の構成を説明する。この眼底撮影装置は、眼底をスリット状に走査しつつ撮影を行う。この眼底撮影装置の光学系の構成例を図１に、制御系の構成例を図２に示す。
【００１２】
［光学系］
眼底撮影装置１は、照明光学系１０と撮影光学系３０を有する。照明光学系１０は、被検眼Ｅの眼底Ｅｆをスリット光で走査する。撮影光学系３０は、眼底Ｅｆに照射されたスリット光の反射光（眼底反射光）を受光する。
【００１３】
（照明光学系）
照明光学系１０は、観察光源１１と、コンデンサレンズ１２と、撮影光源１３と、コンデンサレンズ１４と、偏向ミラー１５と、二孔絞り１６と、リレーレンズ１７と、可動スリット板１８と、リレーレンズ１９と、孔開きミラー２０と、対物レンズ２１とを含んで構成される。
【００１４】
観察光源１１は、眼底Ｅｆを観察するための照明光（観察照明光）を発する。観察光源１１は、たとえばハロゲンランプにより構成される。観察照明光は、コンデンサレンズ１２〜対物レンズ２１を経由して眼底Ｅｆに照射される。なお、「観察」には、眼底Ｅｆの肉眼での観察と、眼底Ｅｆの画像（特に動画像）による観察の双方が含まれる。
【００１５】
撮影光源１３は、眼底Ｅｆを撮影するための照明光（撮影照明光）を発する。撮影光源１３は、たとえばＬＥＤ（Ｌｉｇｈｔ  Ｅｍｉｔｔｉｎｇ  Ｄｉｏｄｅ）やキセノンランプにより構成される。撮影照明光は、コンデンサレンズ１４〜対物レンズ２１を経由して眼底Ｅｆに照射される。
【００１６】
二孔絞り１６には２つの透光部が設けられている（図示せず）。これら透光部は、可動スリット板１８の移動方向に並んで配置される。二孔絞り１６は、被検眼Ｅの瞳孔と共役な位置に配置される。
【００１７】
可動スリット板１８は、直線状のスリット（透光部）１８ａを有する。なお、「直線状」とは、実際には長手方向に比べて短手方向が十分に短い矩形状を意味する。可動スリット板１８は、後述の駆動機構により、直線状のスリット１８ａの短手方向（つまり長手方向に直交する方向）に移動される。なお、スリット１８ａは直線状に限定されるものではなく、たとえば矩形状や円形状など、任意の形状とすることが可能である。なお、駆動機構による可動スリット板１８の移動態様は、眼底Ｅｆの撮影対象領域全体をスリット光で走査できるように、スリット１８ａの形状に応じて適宜に設定される。可動スリット板１８は、眼底Ｅｆと共役な位置に配置され、この共役面内において移動される。
【００１８】
孔開きミラー２０は、照明光学系１０の光軸と撮影光学系３０の光軸とを合成する。孔開きミラー２０の中心領域には孔部２０ａが形成されている。照明光学系１０の光軸と撮影光学系３０の光軸は、孔部２０ａの略中心位置にて交差する。孔部２０ａは、絞り３１とともに撮影光学系３０の絞りとして作用する。
【００１９】
（撮影光学系）
撮影光学系３０は、対物レンズ２１と、孔開きミラー２０（の孔部２０ａ）と、絞り３１と、結像レンズ３２と、イメージセンサ３４とを含んで構成される。
【００２０】
イメージセンサ３４は、光電変換素子を２次元的に配置してなる受光面３４ａを有する、いわゆるエリアセンサである。光電変換素子は、たとえばフォトダイオードである。イメージセンサ３４は、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサや、ＣＣＤ（Ｃｈａｒｇｅ  Ｃｏｕｐｌｅｄ  Ｄｅｖｉｃｅ）イメージセンサである。結像レンズ３２は、対物レンズ２１による眼底Ｅｆの像を受光面３４ａに結像させる。
【００２１】
結像レンズ３２とイメージセンサ３４との間には、クイックリターンミラー３３が設けられている。クイックリターンミラー３３は、撮影光学系３０の光路（撮影光路）上に斜設されている。また、クイックリターンミラー３３は、図示しない駆動機構によって回動軸３３ａ周りに回動される。イメージセンサ３４で眼底Ｅｆを撮影するとき、クイックリターンミラー３３は上方に跳ね上げられ、眼底反射光はイメージセンサ３４に導かれる。
【００２２】
一方、肉眼で眼底Ｅｆを観察するときには、クイックリターンミラー３３は撮影光路上に斜設配置された状態とされ、眼底反射光を上方に反射させる。クイックリターンミラー３３により反射された眼底反射光は、可動スリット板３５に導かれる。可動スリット板３５のスリットを通過した眼底反射光は、偏向ミラー３６により反射されて接眼レンズ３７に導かれる。
【００２３】
なお、可動スリット板３５は、クイックリターンミラー３３の反射面に対して、受光面３４ａと共役な位置に配置されている。また、可動スリット板３５は、後述の駆動機構により、この共役配置を維持した状態で移動される。可動スリット板３５のスリットは、可動スリット板１８のスリット１８ａに対応する形状及び向きを有する。この実施形態では、可動スリット板１８のスリット１８ａは矩形状であり、可動スリット板３５のスリットも矩形状に形成されている。なお、照明光学系１０の可動スリット板１８と撮影光学系３０の可動スリット板２２は、眼底Ｅｆの肉眼観察を行うときに同期して移動される。
【００２４】
［制御系］
眼底撮影装置１の制御系の構成について説明する。制御系の構成例を図２に示す。制御系は、制御部５０を中心に構成される。制御部５０は、ＣＰＵ等の処理装置と、ＲＡＭ、ＲＯＭ、ハードディスクドライブ等の記憶装置とを含んで構成される。記憶装置にはコンピュータプログラムがあらかじめ記憶されている。制御部５０は、このコンピュータプログラムや入力情報に基づいて、眼底撮影装置１の各部を制御する。
【００２５】
駆動機構６０は、照明光学系１０の可動スリット板１８を、スリット１８ａの短手方向に移動させる。駆動機構７０は、接眼レンズ３７に向かう光路上の可動スリット板３５を、そのスリットの短手方向に移動させる。各駆動機構６０、７０は、パルスモータやソレノイド等のアクチュエータを含んで構成される。
【００２６】
制御部５０によるイメージセンサ３４の制御について説明する。図３に示すように、イメージセンサ３４の受光面３４ａには、光電変換素子３４ｉｊ（ｉ＝１〜Ｍ、ｊ＝１〜Ｎ）が２次元的に配置されている。なお、図３に示す例の光電変換素子３４ｉｊはアレイ状（格子状）に配列されているが、その配列態様はこれに限定されるものではない。
【００２７】
受光面３４ａに設けられた光電変換素子３４ｉｊは、複数の群Ｇｋ（ｋ＝１〜Ｋ）に分割される。各群Ｇｋには、可動スリット板１８のスリット１８ａの形状及び向きに対応して配列された複数の光電変換素子３４ｉｊが含まれる。この実施形態では、スリット１８ａは矩形状に形成されている。これに対応し、各群Ｇｋは、スリット１８ａの長手方向に対応する方向を長手方向とする矩形状の領域に配列された複数の光電変換素子３４ｉｊからなる。また、複数の群Ｇｋは、可動スリット板１８の移動方向に対応する方向、つまり各群Ｇｋの短手方向に配列されている。
【００２８】
複数の群Ｇｋは、互いに排他的に光電変換素子３４ｉｊを含んでいてもよいし（図３参照）、一部の光電変換素子３４ｉｊを共有していてもよい。共有されている光電変換素子３４ｉｊは、後述する画像合成処理において、いわゆる「のりしろ」として用いることが可能である。
【００２９】
また、各群Ｇｋは、移動しているスリット１８ａを或る時点において通過して眼底Ｅｆに照射された照明光の眼底反射光を受光する位置に設定される。この眼底反射光の全体を確実に検出するため、（たとえば受光面３４ａに対する眼底反射光の理論的な投射領域よりも）広めに各群Ｇｋを設定することが可能である。他方、眼底反射光の周縁領域の強度が弱い場合などには、この周縁領域を除外するべく各群Ｇｋを小さめに設定することができる。なお、強度の弱い周縁領域に対応する光電変換素子３４ｉｊからの電気信号を増幅して強度を揃えるようにしてもよい。
【００３０】
また、複数の群Ｇｋの設定は、事前に行ってもよいし、撮影時に行ってもよい。事前に設定する場合の例として、スリット１８ａの形態（形状、サイズ、向き等）に応じて、複数の群Ｇｋをデフォルト設定することが可能である。また、眼底Ｅｆの撮影対象領域に応じて、複数の群Ｇｋを複数種類あらかじめ設定するようにしてもよい。撮影対象領域としては、黄斑を中心に撮影するための黄斑撮影領域、視神経乳頭を中心に撮影するための乳頭撮影領域、眼底全体（黄斑と視神経乳頭とを含む領域）を撮影するための全体撮影領域などがある。これらの撮影対象領域と複数の群Ｇｋとを関連付けて撮影モードを事前に設定しておくことにより、撮影モードを指定するだけで複数の群Ｇｋを自動的に選択設定することが可能となる。なお、撮影対象領域の変更は、たとえば、一般的な眼底カメラと同様に固視標（図示せず）を用いることで行われる。また、眼球光学系の情報（屈折力等）などに応じて、複数の群Ｇｋを複数種類用意しておくことも可能である。
【００３１】
撮影時に複数の群Ｇｋを設定する場合について説明する。被検眼Ｅの屈折力などの影響により、スリット１８ａのサイズと、受光面３４ａにおける眼底反射光の投影サイズとが変化することが考えられる。また、被検眼Ｅの状態や撮影対象領域の選択に応じて、スリット１８ａのサイズを変更することも考えられる。このようなケースを考慮すると、被検眼Ｅの撮影時に複数の群Ｇｋを設定できれば有利である。
【００３２】
複数の群Ｇｋの設定方法としては、実際の眼底撮影の前にスリット光を眼底Ｅｆに照射し、その眼底反射光をイメージセンサ３４で検出する。そして、各光電変換素子３４ｉｊからの電気信号に基づいて、実際に眼底反射光を検出した光電変換素子３４ｉｊを特定する。この処理としては、たとえば、電気信号の強度（画像としては輝度等）に対する閾値処理を用いることができる。可動スリット板１８を移動させつつこの処理を繰り返し行うことにより、スリット１８ａの複数の位置のそれぞれに対応する群Ｇｋを決定することが可能である。
【００３３】
眼底Ｅｆを撮影するとき、制御部５０は、駆動機構６０を制御して可動スリット板１８を移動させつつ、イメージセンサ３４を制御して複数の群Ｇｋを順次に動作させる。この連動制御は、たとえば、可動スリット板１８の位置（つまりスリット１８ａの位置）と、群Ｇｋとを対応付けた情報を事前に生成し、この情報に基づいて駆動機構６０とイメージセンサ３４とを制御することにより実現できる。また、可動スリット板１８の移動速度と群Ｇｋの切り換え速度（切り換えの時間間隔）とを対応付けた情報を事前に生成し、この情報に基づいて駆動機構６０とイメージセンサ３４とを制御することによっても実現できる。
【００３４】
更に、制御部５０は、群Ｇｋの切り換えと同期させて撮影光源１３をフラッシュ発光させる。すなわち、制御部５０は、撮影光源１３の制御と駆動機構６０の制御とを連動させて眼底Ｅｆをスリット光で走査させつつ、イメージセンサ３４を制御して複数の群Ｇｋを切り換えることにより、眼底Ｅｆに対する照射位置の異なるスリット光の眼底反射光を順次に検出させる。
【００３５】
画像生成部８０は、複数の群Ｇｋからの電気信号に基づいて眼底Ｅｆの画像を生成する。画像生成部８０には、部分画像生成部８１と画像合成部８２が設けられている。
【００３６】
部分画像生成部８１は、各群Ｇｋからの電気信号に基づいて眼底Ｅｆの画像を生成する。各群Ｇｋに対応する画像は撮影対象領域の一部を撮影したものであるから、これを部分画像と呼ぶことにする。部分画像の例を図４に示す。複数の部分画像Ｈｋ（ｋ＝１〜Ｋ）は、複数の群Ｇｋに対応している。
【００３７】
画像合成部８２は、複数の部分画像Ｈｋを合成して眼底Ｅｆの画像Ｈを生成する。ここで「合成」とは、複数の群Ｇｋの位置（つまり各群Ｇｋの光電変換素子３４ｉｊの配列）に基づいて複数の部分画像Ｈｋを配列させることにより、撮影対象領域全体の画像Ｈを形成することをいう。この実施形態では、従来の眼底画像の形状（円形状）に合わせて各部分画像Ｈｋの一部を抽出し、それら抽出画像を合成して眼底Ｅｆの画像Ｈを生成している。
【００３８】
なお、前述したように複数の群Ｇｋに重複がある場合には、その重複部分に対応する画像領域に基づいて、隣接する部分画像Ｈｋの位置合わせを行ってから合成処理を行うことができる。
【００３９】
また、一般に、被検眼Ｅは固視微動等により変位している。よって、スリット光の走査に掛かる時間によっては、部分画像Ｈｋの間に位置ズレが生じる可能性がある。この問題に対処するため、スリット光の走査を迅速に行うか、或いは、上記した部分画像Ｈｋの位置合わせを行うことが望ましい。
【００４０】
〈作用効果〉
眼底撮影装置１の作用及び効果を説明する。
【００４１】
眼底撮影装置１は、眼底Ｅｆをスリット光で走査しつつ、イメージセンサ３４における光電変換素子３４ｉｊの複数の群Ｇｋを順次に切り換えて動作させることにより眼底Ｅｆの画像Ｈを生成する。
【００４２】
また、画像生成部８０は、部分画像生成部８１により複数の群Ｇｋのそれぞれからの電気信号に基づいて部分画像Ｈｋを生成し、画像合成部８２により複数の部分画像Ｈｋを合成して眼底画像Ｈを生成する。
【００４３】
また、照明光学系１０は、眼底Ｅｆに対してスリット光をその長手方向に直交する方向（つまり短手方向）に走査する。更に、複数の群Ｇｋのそれぞれは、略矩形状に配列された複数の前記光電変換素子からなり、複数の群Ｇｋは、この略矩形状における短手方向に配列されている。
【００４４】
このような眼底撮影装置１によれば、従来のようなスリット板の同期制御が不要であり、装置構成を簡易化することが可能である。
【００４５】
〈変形例〉
以上に説明した実施形態は、この発明を実施するための構成の一例に過ぎず、この発明を限定するものではない。この発明を実施しようとする者は、この発明の要旨の範囲内における任意の変形を適宜に施すことが可能である。以下、このような変形の例を説明する。
【００４６】
上記の実施形態では、従来と同様に円形状の眼底画像を生成している（図４参照）。しかし、この発明に係る眼底画像の形状はこれに限定されるものではない。たとえば、図４に示す複数の矩形の部分画像Ｈｋをそのまま合成して矩形の眼底画像を生成することも可能である。なお、部分画像の任意の部分領域を抽出し、任意の形状の眼底画像を形成することが可能である。それにより所望の形状の眼底画像が得られる。
【００４７】
最終的な眼底画像の形状に応じてスリット１８ａの形状を変更しつつ眼底Ｅｆを走査するよう構成することが可能である。たとえば上記の実施形態のように、矩形状のスリット１８ａを用いて円形状の眼底画像を生成する場合、撮影対象領域の端部（図４においては上端と下端）に近づくほどスリット光の長手方向の長さを短くすることができる。それにより、被検眼Ｅ（特に瞳孔）によるスリット光のケラレを抑制することができる。また、画像処理に供されるデータのデータ量を減らすことができるので、処理の迅速化や省力化を図ることが可能である。
【００４８】
１枚の眼底画像を生成するために、スリット光による走査を複数回行うように構成することも可能である。その場合、各領域に対応する複数の部分画像のうちから最適なものを選択し、それらを合成して眼底画像を生成するよう構成することができる。最適な部分画像の選択は、たとえば画質の評価による。また、各領域に対応する複数の部分画像を重ね合わせて当該領域の部分画像を生成し、それらを合成して眼底画像を生成するよう構成することも可能である。
【００４９】
以上で説明した画像処理以外にも、イメージセンサの特徴を利用した任意の画像処理を適用することが可能である。
【００５０】
上記の実施形態では、クイックリターンミラー３２に反射された眼底反射光を接眼レンズに導いて肉眼観察するようになっている。これに対し、接眼レンズに代えて、結像レンズとイメージセンサとを設けるように構成することも可能である。この構成によれば、たとえば観察光源１１を点灯させつつ当該イメージセンサを動作させることにより、眼底Ｅｆの動画像を取得することが可能である。この動画像を図示しない表示デバイスに表示させることにより、眼底Ｅｆの動画観察が可能となる。
【００５１】
また、クイックリターンミラー３２により反射された眼底反射光の光路をハーフミラー等で分割し、一方の光路上に接眼レンズを配置し、他方の光路上にイメージセンサを配置するように構成することも可能である。それにより、眼底Ｅｆの肉眼観察と動画観察の双方が可能となる。
【００５２】
また、図１に記載のイメージセンサ３４を眼底Ｅｆの撮影と動画観察の双方に用いるよう構成することも可能である。眼底撮影時、上記実施形態と同様にクイックリターンミラー３２を跳ね上げ制御する。一方、動画観察時には、イメージセンサ３４に続く光路からクイックリターンミラー３２を退避させておく。なお、肉眼観察が不要な場合には、クイックリターンミラー３２を設ける必要はない。
【００５３】
上記の実施形態では、スリット板１８を移動させることによりスリット光を走査しているが、他の構成によってスリット光の走査を行うことも可能である。たとえば、固定配置されたスリット板と、スリット板のスリットを通過した光束（スリット光）を走査する機構とを、照明光学系に設けることができる。この走査機構としては、たとえばガルバノスキャナやレゾナントスキャナのように、光束を走査することが可能な任意の構成を適用できる。また、移動可能なスリット板と走査機構との連動制御によってスリット光を走査するよう構成することも可能である。
【００５４】
上記の実施形態は、スリット光の走査に対応して光電変換素子の複数の群を順次に動作するよう構成されているが、この発明はこれに限定されるものではない。たとえば、スリット光の走査に対応してイメージセンサを反復動作させ、それにより得られた複数組の電気信号に基づいて複数の画像を生成し、これら複数の画像に基づいて眼底画像を生成するように構成することが可能である。この変形例は、上記の実施形態とほぼ同様の構成を有する（図１〜図３を参照）。以下、上記の実施形態の図面を参照して説明する。
【００５５】
この変形例において、イメージセンサ３４の反復動作とは、イメージセンサ３４の所定の光電変換素子３４ｉｊ（たとえば全ての光電変換素子３４ｉｊ）を用いた撮像を繰り返し行うことをいう。また、スリット光の走査に対応したイメージセンサ３４の反復動作とは、スリット光を走査しながら撮像を繰り返すことをいう。また、電気信号の組とは、１回の撮影、つまり１枚の撮影画像を得るためにイメージセンサ３４から出力される信号を意味する。この変形例では、複数回の撮影を行うので、それに対応する複数組の電気信号が得られる。そして、各組の電気信号に基づいて１枚の画像を生成することにより、複数の撮影画像が得られる。
【００５６】
なお、スリット光で眼底Ｅｆを走査しているので、各撮影画像には、スリット光の眼底反射光を検出した光電変換素子３４ｉｊからの電気信号に対応する画像領域（描画領域）と、それ以外の画像領域（非描画領域）とが存在する。スリット光の走査と反復撮像との連動制御は、各光電変換素子３４ｉｊに対応する画素が少なくとも１枚の撮影画像の描画領域に含まれるように実行される。それにより、複数の撮影画像に基づいて、撮影対象領域全体を描写した眼底画像を取得できる。
【００５７】
この変形例を実現する構成としては、たとえば以下の２種類がある。第１の構成例として、複数の撮影画像のそれぞれからスリット光の走査に対応する画像領域を抽出し、これら複数の画像領域を合成して眼底画像を生成するものがある。この処理は画像生成部８０により実行される。
【００５８】
第１の構成例において各撮影画像から抽出される画像領域は、上記の描画領域を含む。すなわち、各撮影画像から抽出される画像領域には、当該撮影画像の撮影時に出力されたスリット光の眼底Ｅｆへの照射領域が描画されている。
【００５９】
撮影画像（つまりフレーム）内における画像領域の位置は、撮影前に設定することもできるし、撮影後に設定することもできる。前者の例として、上記実施形態と同様に理論的に又は実際の測定により、スリット１８ａの位置に対応する画像領域（つまり光電変換素子３４ｉｊ）を特定することが可能である。一方、後者の例として、撮影画像の画素値（輝度等）を解析して、抽出対象の画像領域を特定することができる。この解析処理としては、たとえば閾値処理が用いられる。
【００６０】
第１の構成例における複数の画像領域の合成処理は、たとえば、抽出された複数の画像領域を画素位置に基づいて１つのフレーム内に配列させることにより実行される。この合成処理は、上記実施形態のそれと実質的に同様である。複数の画像領域の間の位置合わせについても同様にして行うことができる。以上で第１の構成例の説明を終わる。
【００６１】
続いて、第２の構成例について説明する。第２の構成例では、画像領域の抽出を行うことなく、複数の撮影画像を合成することにより眼底画像を生成する。この合成処理は、たとえば、対応する画素毎に複数の撮影画像を重ね合わせることによって実行できる。このとき、複数の撮影画像の間での位置合わせや、最終的な眼底画像の画素値（輝度等）の調整を行うことができる。
【００６２】
なお、イメージセンサ３４に設けられた複数の光電変換素子３４ｉｊのうちの一部のみを反復動作させるように構成することも可能である。この場合、たとえば、眼底Ｅｆの撮影対象領域全体を撮影することが可能な範囲の光電変換素子３４ｉｊが選択されて反復動作される。つまり、スリット光での撮影と同じ倍率で、かつ一度のフラッシュ発光で撮影対象領域を撮影したと仮定したときに、この撮影対象領域全体を描画することができる範囲の光電変換素子３４ｉｊが選択される。
【００６３】
この変形例によれば、眼底をスリット状に走査して撮影を行うタイプの眼底撮影装置において、従来のようなスリット板の同期制御を行う必要がないので、装置構成を簡易化することが可能である。
【符号の説明】
【００６４】
１  眼底撮影装置
１０  照明光学系
１３  撮影光源
１８  可動スリット板
２０  孔開きミラー
２１  対物レンズ
３０  撮影光学系
３４  イメージセンサ
３４ａ  受光面
３４ｉｊ  光電変換素子
５０  制御部
６０  駆動機構
８０  画像生成部
８１  部分画像生成部
８２  画像合成部
Ｇｋ  光電変換素子の群
Ｈｋ  部分画像
Ｈ  眼底画像
Ｅ  被検眼
Ｅｆ  眼底
【図１】
2012187293.tif 000003
【図２】
2012187293.tif 000004
【図３】
2012187293.tif 000005
【図４】
2012187293.tif 000006